(57)【要約】【課題】便座蓋カバーの様々な固定の方法を統一し、表生地の加工に要する面積を少なくすることで、コスト、加工の手間といった様々な制約を取り除き、より安価で、簡易な取り付けが可能な、しかも便座蓋の両面を装飾できる装飾性に優れた便座蓋カバーを提供することにある。【解決手段】表生地１２と裏生地１３とで開口部を設けた袋状に縫製した便座蓋カバー１０に、表生地１２の裏側に保持用索条８、裏生地１３の裏側に連結用索条７を縫着し、便座蓋と便器本体との隙間１を潜らせて互いに接続することで、安価で簡易、なおかつより装飾性に優れた便座蓋カバーを提供した。【選択図】　　　　図１
2004130048.tif 000002
【特許請求の範囲】
【請求項１】
表生地と裏生地とが対面した状態で、且つ一部に装着口を形成した状態で表生地と裏生地との周囲が縫着され、該装着口から便座蓋に装着される便座蓋カバーであって、便座蓋に装着したときに便座蓋の表生地の装着口近傍若しくは裏生地の装着口のほぼ中央部近傍の少なくとも一方に便座蓋カバーの表生地と裏生地とを接続する装着用索条を設けたことを特徴とする便座蓋カバー。
【請求項２】
便座蓋カバーを便座蓋に装着したときに装着用索条の一端が便座蓋の先端に位置する便座蓋カバー部分若しくはその近傍部に連結され、表生地の内面に沿い、他端部を裏生地の装着口中央部近傍に連結するように構成したことを特徴とする請求項１に記載の便座蓋カバー。
【請求項３】
装着用索条が、一端が便座蓋カバーの先端部若しくはその近傍部に縫着されるとともに他端が装着項の表生地の内面に縫着された保持用索条と、裏生地から延出され端部が保持用索条に接続具で着脱可能にした連結用索条からなる請求項２に記載の便座蓋カバー。
【請求項４】
装着用索条が細幅テープ状の布地で形成されている請求項１乃至請求項３のいずれか１項に記載の便座蓋カバー。
【請求項５】
便座蓋カバーが両生地の装着口側端部で幅狭になる形に形成したことを特徴とする請求項１記載の便座蓋カバー。
【請求項６】
便座蓋カバーを形成する裏生地部分の装着口の左右両端寄り部に凹入部を形成し、便座蓋カバーを装着した便座蓋を便座に重ね合わせたときに、便座の回動枢支部の近傍を凹入部に収納可能に構成したことを特徴とする請求項１又は５に記載の便座蓋カバー。
【発明の詳細な説明】
【０００１】
【発明の属する技術分野】
本発明は、洋式便器などの上部に開閉自在に取り付けられている便座蓋を装飾するために覆うカバーである。
【０００２】
【従来の技術】
従来の技術としては、例えば図９に示すように便座蓋の上面を主として覆うことで便座蓋を装飾する便座蓋カバーがある。この蓋カバーは便座蓋９よりも大きく裁断した生地を縁取り帯１７で周縁部を縁取り加工した後、生地の先端部分にゴムテープ１６を縫いこみ、このゴムテープ１６の弾性で便座蓋９の先端部に対応する周縁部を縫い縮めるようにした折り返し代を作り、その折り返し代を便座蓋９に引っ掛けて装着する構造になっている。また、便座蓋９の形状によっては、例えば便座蓋９が便器本体との接合部側に向かって幅が広くなっていく形状になっている場合などは確実に固定できない場合もあるため、図９に示すように表生地裏側にフック１４を設け、このフックにて便座蓋９の便器本体との接合部近傍に引っ掛ける形態のものもある。
【０００３】
【発明が解決しようとする課題】
上記図９の蓋カバーでは、便座蓋９に装着した場合、便座蓋９の表側だけを装飾することになり、使用のために便座蓋９を立てたときに裏側にあるゴムテープ１６やフック１４の一部などが見えてしまううえに、便座蓋９を閉じた状態でも便座蓋９の表側を完全には覆い切れていないために、装飾するという便座蓋カバー本来の目的が十分に果されているとは言いがたい。また、便座蓋９の形状、ゴムテープ１６の有無、フック１４の種類や形状の違いなどで装着方法が様々存在し、そのため装着方法が複雑になったり縫製加工に手間がかかってコスト高になったりする原因になっている。先端部の折り返し代を形成するために生地を便座蓋の大きさよりもかなり大きめに裁断する必要があることや、便座蓋カバーを商品として店頭に陳列する際にゴムテープ１６で縫い縮めた先端部を伸ばして見栄えを良くするために便座蓋と同じ形に形成したダンボール紙などの補助部材に装着する必要があることもコストを上げる要因となっている。さらに、洗濯するに際して、回数を重ねるにしたがって、ゴムテープ１６が劣化して伸びてしまったり、フック１４が破損してしまったりして装着することができなくなる事例が見受けられ、製品本来の寿命が来る前に使用ができなくなってしまう原因になっている。
【０００４】
（発明の目的）
本発明は上記のような点に鑑み考案されたもので、便座蓋の形状、便座蓋と便器本体との結合方法にかかわらず、単一の方法で装着できる便座蓋カバーを表生地の先端部の折り返し代にあたる部分の生地や商品陳列の際に必要とされているダンボール紙などの補助部材を取り去ることでより安価に提供し、洗濯時に劣化、いたみやすいゴムテープやフックを取り去ることで耐久性を増し、かつ便座蓋の両面を覆うことで便座蓋カバー本来の装飾機能を十分に発揮させることを目的とする。
【０００５】
【課題を解決するための手段】
上記目的を達成するために請求項１記載の本発明の便座蓋カバーは、表生地と裏生地とを重ね合わせて下部に装着口を設けた袋状に縫製し、さらに表生地裏側の装着口中央部近傍に保持用索条を縫着し、同様に裏生地裏側の装着口中央部近傍に連結用索条を縫着して形成してなる構成である。
【０００６】
請求項２記載の本発明の便座蓋カバーは、請求項１記載の便座蓋カバーにおいて表生地裏側の先端部近傍に装着用索条を縫着し、裏生地裏側の装着口中央部近傍に、表生地の内面を沿わせた連結用索条の一方を連結するための保持用索条を縫着して形成してなる構成である。
【０００７】
請求項３記載の本発明の便座蓋カバーは、請求項２に記載の便座蓋カバーにおいて装着用索条を、一端を先端部近傍に、他端を表生地の裏側に縫着した保持用索条と、裏生地から延出されて端部を保持用索条と接続具で着脱可能にした連結用索条とで形成してなる構成である。
【０００８】
請求項４記載の本発明の便座蓋カバーは、請求項１乃至請求項３のいずれか１項に記載の便座蓋カバーにおいて装着用索条を細幅テープ状の布地で形成してなる構成である。
【０００９】
請求項５記載の本発明の便座蓋カバーは、請求項１に記載の便座蓋カバーにおいて表生地と裏生地の両方を装着口側端部で幅狭になる形に形成してなる構成である。
【００１０】
請求項６記載の本発明の便座蓋カバーは、請求項１又は５に記載の便座蓋カバーにおいて裏生地の装着口の左右両端寄り部に、便座蓋を便座に重ね合わせたときに便座の回動部枢支部の近傍を収納するための凹入部を形成してなる構成である。
【００１１】
【発明実施の形態】
以下、本発明の実施の形態を図に基づいて説明する。
図１乃至図７に示すように、図中符号１０は本発明にかかる一例の便座蓋カバーであって、図２は便座蓋カバー１０の裏面図である。この便座蓋カバー１０は、表生地１２と裏生地１３とを重ね合わせて周縁部を縁取り帯１１で縫合して袋状としたものを本体とし、表生地１２の便座蓋に接する側に装着具６を縫着した固定用索条８を先端部近傍縫合部２と開口部近傍縫合部４とで縫合し、裏生地１３の便座蓋に接する側には装着具５を縫着した連結用索条７を開口部近傍縫合部３で縫合して止め具としている。
【００１２】
表生地１２及び裏生地１３は本例ではパイル加工を施した布地であって、便座蓋９の厚みを考慮してやや大きめに裁断されたものである。勿論、２枚の生地によって袋状の便座蓋カバーが形成されれば良いのであるから、表と裏の生地の材質が異なっていてもよい。また、裏生地１３を使用することによって、便座蓋９の裏側を覆うことになり、特に使用のために便座蓋９を立てた状態での装飾性の面で図９の便座蓋カバーよりも優れたものとなる。さらに、裏生地のみに消臭加工を施すと直接便器本体内部の空間の消臭効果を持たせることができる。
【００１３】
表生地１２と裏生地１３とを縫合する方法として、本例では図２に示すように装飾性を考慮して縁取り帯１１で開口部を除いた周縁部を縫合し、その後開口部の未縫合部分を縁取り帯１１で縁取りする方法を採っている。勿論、単に縫合する周縁部と縁取りする開口部の周縁をオーバーロック加工のような縫い糸で縫うこともできるし、縁取り帯１１の材質もバイアステープ、綿テープなど様々な素材を使うことができる。
【００１４】
本例での装着具５及び６はベルベットクロス式ファスナーであって、お互いを接続するために適宜の長さに切断し、それぞれ連結用索条７と固定用索条８に縫着してある。装着具５及び６は縫着するだけでなく、布用接着剤で貼り付ける方法で連結用索条７及び固定用索条８につけてもよい。また、便座蓋９と便座蓋本体との隙間１（図８参照）を潜らせるという点では、隙間１が非常に狭い便器が存在するため、装着具５及び６は本例のようにベルベットクロス式ファスナーにすることが望ましいが、隙間１の大きさによっては図６の１４に見られるようなフックを使用してもよい。さらにより確実に便座蓋９を固定するために装着具の数を増やしてもよいし、固定の確実性よりもコストダウンを優先するならば装着具５あるいは６の何れかを省略することも可能である。さらにコストダウンを求めるならば、連結用索条７及び固定用索条８を縫着する代わりに直接装着具６を表生地１２の便座蓋９への接地面に縫着してしまうか開口部近傍接合部４で縫着することも考えられるし、装着具５を開口部近傍接合部３で縫着してしまうことも考えられる。
【００１５】
連結用索条７と固定用索条８は、本例では布テープを使用しているが、他の材質のものを使用してもよい。例えば塩化ビニール、ポリエチレンなどを素材とする透明のテープを使用すればより目立たなくなって、装飾性が向上することが期待できる。また、本例では表生地１２と裏生地１３の便座蓋９に接しない表側に縫合の跡が出ないように連結用索条７は開口部近傍縫合部３で、固定用索条８は先端部近傍縫合部２と開口部近傍縫合部４とで縁取り帯１１と縫着してある。勿論、装着具５及び６と同様に、さらに確実に固定することを目指せば、複数使用してもよいし、縫合の跡が出ることにこだわらなければ固定用索条８の縁を縫合部２及び４を繋ぐように縫うことで表生地１２に縫い付けることも可能である。
【００１６】
固定用索条８は確実に固定することを優先して縫合部２及び４の二箇所で縫着されているが、さらに簡易にするべく、何れか一箇所のみを縫着することでも使用に差し支えは無い。また、図３のように短くした固定用索条８Ａを縫合部４及び１５で表生地１２に縫着することもできる。さらに、短くした固定用索条８Ａを図２の縫合部２にあたる位置で縫着することも考えられる。加えて固定用索条８を縫合部４で縫着せずに便座蓋と便器本体との隙間１を潜らせるために適宜に長めに形成し、裏生地１３に接続する形態をとることもできるし、固定用索条８と連結用索条７の縫着する位置を表生地１２と裏生地１３とで入れ替える形態を採っても本発明の便座蓋カバーは機能を発揮することができる。
【００１７】
図４のように折り返しタック１９を縫合部２０で縫合して便座蓋カバー１０の裏生地１３の開口部に形成すれば裏生地１３にゆとりをとることができ、このゆとりによって、便座蓋９が便座２１を収納して外から見えなくすることで便器の外観を美しくしようとする形態の便器であっても男性の小用使用時に便座２１を立てる際に妨げとなることが無いので、便座蓋カバー１０を装着可能な便器の種類を増やすことができる。図４のように折り返しタック１９を作る場合、裏生地１３の素材はメッシュ生地、サテン生地などの薄手の素材が適している。
【００１８】
上記のような構成からなる本発明の便座蓋カバー１０を図８のような洋式便器の便座蓋９に取り付ける場合は、便座蓋９の先端から便座蓋カバー１０を開口部から挿入し、その後、連結用索条７を便座蓋９と便器本体との隙間１に潜らせて装着具５と６を接続することで固定用索条７と連結する。この際、請求項３記載の方法で便座蓋カバー１０を形成した場合、便座蓋カバーの表生地１２の先端部と開口部の二箇所で固定用索条７を縫着してあるために便座蓋９に装着した状態の便座蓋カバー１０を左右にずれにくくする効果が得られる。
【００１９】
【発明の効果】
このように本発明によって、表生地と裏生地にそれぞれ縫着した固定用索条と連結用索条とを便座蓋と便器本体との隙間を潜らせて連結するという極めて簡易な装着方法のみで便座蓋の両面を装飾できる便座蓋カバーの提供が可能となる。図９に挙げた便座蓋カバーをはじめとする従来品は便座蓋の形状によって装着方法を様々に変える必要があり、加工に際して非常に手間がかかるために製品化の大きな制約となっているが、本発明の装着方法によって一種類に統一することでコストを低減するとともに手間を省くことができる。しかも表生地の折り返し代を不要とすることで表生地の歩止まりをよくすることができ、コストダウンが図れる。また、従来の便座蓋カバーのようにゴムテープで縫い縮めた折り返し代の部分を商品として陳列する際に伸ばす必要が無いため、伸ばすために必要であった段ボール紙などの補助部材が不要となるので流通段階でのコストも削減できる。さらに、従来の便座蓋カバーでは装着が難しい、便座蓋が便座を収納して外から見えなくする形態の洋式便器の便座蓋にも装着ができるので、便座蓋カバーの市場を拡大することも期待できる。
【００２０】
また、便座蓋に便座蓋カバーを取り付ける際の手間の面でも、固定用索条と連結用索条とを便座蓋と便器本体との隙間を潜らせて連結するだけという極めて簡易なものであるため、装着に際して色々と考える煩わしさを感じることが無く、装着を簡単にすることができる。
【図面の簡単な説明】
【図１】本発明の便座蓋カバーの一例の説明図である。
【図２】本発明の便座蓋カバーの便座蓋に接する裏面の展開図である。
【図３】図２の展開図において固定用索条８を短くした場合の一例の説明図である。
【図４】本発明に折り返しタック１９を取り付けた一例の説明図である。
【図５】本発明を取り付けた状態の便座蓋の一例の説明図である。
【図６】請求項１記載の便座蓋カバーを装着した便座蓋の縦方向の断面の説明図である。
【図７】請求項３記載の便座蓋カバーを装着した便座蓋の縦方向の断面の説明図である。
【図８】本発明を装着できる一例の洋式便器の説明図である。
【図９】従来型の便座蓋カバーの一例の説明図である。
【符号の説明】
１　便座蓋と便器本体との隙間
５，６　装着具
７　連結用索条
８　固定用索条
９　便座蓋
１０　便座蓋カバー本体
１１　縁取り帯
１２　表生地
１３　裏生地
１４　固定用フック
１９　折り返しタック
【図１】
2004130048.tif 000003
【図２】
2004130048.tif 000004
【図３】
2004130048.tif 000005
【図４】
2004130048.tif 000006
【図５】
2004130048.tif 000007
【図６】
2004130048.tif 000008
【図７】
2004130048.tif 000009
【図８】
2004130048.tif 000010
【図９】
2004130048.tif 000011